(57)【要約】【課題】    本発明は、使用勝手の良い掃除用具を提供する。【解決手段】    掃除用具Ａは、一方の面に吸着部１１を他方の面に拭取部１２を備えた本体１と、吸着部１１は、合成樹脂に多数の気孔を備えて真空吸着力を有するものであり、拭取部１２は、被掃除面１０の塵埃を拭き取って前記塵埃を捕捉するものであり、不使用時は、吸着部１１を被掃除面１０の平滑面に吸着させ、使用時は、吸着部１１を被掃除面１０から剥がし、拭取部１２により被掃除面１０の塵埃を拭き取るものである。【選択図】図１
2008167966.tif 000002
【特許請求の範囲】
【請求項１】
一方の面に吸着部を他方の面に拭取部を備えた本体と、
前記吸着部は、合成樹脂に多数の気孔を備えて真空吸着力を有するものであり、
前記拭取部は、被掃除面の塵埃を拭き取って前記塵埃を捕捉するものであり、
不使用時は、前記吸着部を前記被掃除面の平滑面に吸着させ、
使用時は、前記吸着部を前記被掃除面から剥がし、前記拭取部により前記被掃除面の塵埃を拭き取る
ことを特徴とする掃除用具。
【請求項２】
一方の面に吸着部を他方の面に拭取部を備えた本体と、
前記吸着部は、合成樹脂に多数の気孔を備えて真空吸着力を有するものであり、
前記拭取部は、被掃除面の塵埃を拭き取って前記塵埃を補足するものであり、
前記被掃除面は鏡であり、
不使用時は、前記吸着部を前記鏡に吸着させ、
使用時は、前記吸着部を前記鏡から剥がし、前記拭取部により前記被掃除面の塵埃を拭き取る
ことを特徴とする鏡用掃除用具。
【請求項３】
吸着部は鏡の全体に亘って覆う大きさで、
不使用時は、前記吸着部を前記鏡に吸着させ、前記鏡が露出するのを防止する
ことを特徴とする請求項２記載の鏡用掃除用具。
【請求項４】
鏡は、自動車のサイドミラーである
ことを特徴とする請求項３記載の鏡用掃除用具。
【請求項５】
一方の面に吸着部を他方の面に拭取部を備えた本体と、
前記吸着部は、合成樹脂に多数の気孔を備えて真空吸着力を有するものであり、
前記拭取部は、被掃除面の塵埃を拭き取って前記塵埃を捕捉するものであり、
前記被掃除面は、床であり、
使用時は、前記吸着部を履物の底部に吸着させ、前記履物の歩行に伴い、前記拭取部により前記床の塵埃を拭き取り、
前記拭取部の塵埃の量が多くなると、前記吸着部を前記履物の底部から剥がす
ことを特徴とする床用掃除用具。
【請求項６】
一方の面に吸着部を他方の面に拭取部を備えた本体と、
この本体は洗濯可能な素材で形成され、
前記吸着部は、合成樹脂に多数の気孔を備えて真空吸着力を有するものであり、
前記拭取部は、被掃除面の塵埃を拭き取って前記塵埃を捕捉するものであり、
前記被掃除面は、床であり、
使用時は、前記吸着部を棒状の把手を有する平面状の清掃部の下面に吸着させ、前記拭取部により前記床の塵埃を拭き取り、
前記拭取部の塵埃の量が多くなると、前記吸着部を前記清掃部の下面から剥がす
ことを特徴とする床用掃除用具。  
【請求項７】
一方の面に吸着部を他方の面に拭取部を備えた本体と、
前記吸着部は、合成樹脂に多数の気孔を備えて真空吸着力を有するものであり、
前記拭取部は、被掃除面の塵埃を拭き取って前記塵埃を捕捉するものであり、
前記被掃除面は、電子機器の表示部であり、
不使用時は、前記吸着部を前記電子機器の表示部に吸着させ、
使用時は、前記吸着部を前記電子機器の表示部から剥がし、前記拭取部により前記電子機器の表示部の塵埃を拭き取る
ことを特徴とする電子機器用掃除用具。
【請求項８】
一方の面に吸着部を他方の面に拭取部を備えた本体と、
前記吸着部は、合成樹脂に多数の気孔を備えて真空吸着力を有するものであり、
前記拭取部は、被掃除面の塵埃を拭き取って前記塵埃を捕捉するものであり、
前記被掃除面は、窓ガラスであり、
不使用時は、前記吸着部を前記窓ガラスに吸着させ、
使用時は、前記吸着部を前記窓ガラスから剥がし、前記拭取部により前記窓ガラスの塵埃を拭き取る
ことを特徴とする窓ガラス用掃除用具。
【請求項９】
一方の面に吸着部を他方の面に清掃部材を備えた本体と、
前記吸着部は、合成樹脂に多数の気孔を備えて真空吸着力を有するものであり、
前記一方の面は、平滑面であり、
前記清掃部材は、ブラシ又はスポンジであり、
不使用時は、前記吸着部を前記平滑面に吸着させている
ことを特徴とする掃除用具。
【請求項１０】
一方の面に吸着部を他方の面に拭取部を備えた本体と、
前記吸着部は、合成樹脂に多数の気孔を備えて真空吸着力を有するものであり、
前記拭取部は、被掃除面の塵埃を拭き取って前記塵埃を捕捉するものである
ことを特徴とする掃除用具。
【発明の詳細な説明】
【技術分野】
【０００１】
本発明は、掃除用具、鏡用掃除用具、床用掃除用具、電子機器用掃除用具及び窓ガラス用掃除用具に係り、特に、使用勝手の良い掃除用具、鏡用掃除用具、床用掃除用具、電子機器用掃除用具及び窓ガラス用掃除用具に関する。
【背景技術】
【０００２】
従来、例えば、鏡のくもりや汚れを清掃する際、近くに、清掃する用具がない場合、探さねばならず、使用勝手が悪いという問題点があった。
この問題点を改善するために、くもりや汚れを清掃するワイパー装置を鏡面に着脱可能に取り付けるものがある（例えば、特許文献１参照）。
しかしながら、このものにおいては、装置が大がかりとなると共に、小さい鏡、例えば、手鏡には、採用できないという問題点があった。
【特許文献１】実開昭６２−４２５４号公報
【発明の開示】
【発明が解決しようとする課題】
【０００３】
本発明は、前記した問題点を除去するようにした掃除用具、鏡用掃除用具、床用掃除用具、電子機器用掃除用具及び窓ガラス用掃除用具を提供することを目的としている。
【課題を解決するための手段】
【０００４】
前記した目的を達成するための請求項１記載の掃除用具は、一方の面に吸着部を他方の面に拭取部を備えた本体と、前記吸着部は、合成樹脂に多数の気孔を備えて真空吸着力を有するものであり、前記拭取部は、被掃除面の塵埃を拭き取って前記塵埃を捕捉するものであり、不使用時は、前記吸着部を前記被掃除面の平滑面に吸着させ、使用時は、前記吸着部を前記被掃除面から剥がし、前記拭取部により前記被掃除面の塵埃を拭き取るものである。
【０００５】
また、請求項２記載の鏡用掃除用具は、一方の面に吸着部を他方の面に拭取部を備えた本体と、前記吸着部は、合成樹脂に多数の気孔を備えて真空吸着力を有するものであり、前記拭取部は、被掃除面の塵埃を拭き取って前記塵埃を補足するものであり、前記被掃除面は鏡であり、不使用時は、前記吸着部を前記鏡に吸着させ、使用時は、前記吸着部を前記鏡から剥がし、前記拭取部により前記被掃除面の塵埃を拭き取るものである。
【０００６】
また、請求項３記載の鏡用掃除用具は、請求項２記載の鏡用掃除用具において、吸着部は鏡の全体に亘って覆う大きさで、不使用時は、前記吸着部を前記鏡に吸着させ、前記鏡が露出するのを防止するものである。
【０００７】
また、請求項４記載の鏡用掃除用具は、請求項３記載の鏡用掃除用具において、鏡は、自動車のサイドミラーである。
【０００８】
また、請求項５記載の床用掃除用具は、一方の面に吸着部を他方の面に拭取部を備えた本体と、前記吸着部は、合成樹脂に多数の気孔を備えて真空吸着力を有するものであり、前記拭取部は、被掃除面の塵埃を拭き取って前記塵埃を捕捉するものであり、前記被掃除面は、床であり、使用時は、前記吸着部を履物の底部に吸着させ、前記履物の歩行に伴い、前記拭取部により前記床の塵埃を拭き取り、前記拭取部の塵埃の量が多くなると、前記吸着部を前記履物の底部から剥がすものである。
【０００９】
また、請求項６記載の床用掃除用具は、一方の面に吸着部を他方の面に拭取部を備えた本体と、この本体は洗濯可能な素材で形成され、前記吸着部は、合成樹脂に多数の気孔を備えて真空吸着力を有するものであり、前記拭取部は、被掃除面の塵埃を拭き取って前記塵埃を捕捉するものであり、前記被掃除面は、床であり、使用時は、前記吸着部を棒状の把手を有する平面状の清掃部の下面に吸着させ、前記拭取部により前記床の塵埃を拭き取り、前記拭取部の塵埃の量が多くなると、前記吸着部を前記清掃部の下面から剥がすものである。
【００１０】
また、請求項７記載の電子機器用掃除用具は、一方の面に吸着部を他方の面に拭取部を備えた本体と、前記吸着部は、合成樹脂に多数の気孔を備えて真空吸着力を有するものであり、前記拭取部は、被掃除面の塵埃を拭き取って前記塵埃を捕捉するものであり、前記被掃除面は、電子機器の表示部であり、不使用時は、前記吸着部を前記電子機器の表示部に吸着させ、使用時は、前記吸着部を前記電子機器の表示部から剥がし、前記拭取部により前記電子機器の表示部の塵埃を拭き取るものである。
【００１１】
また、請求項８記載の窓ガラス用掃除用具は、一方の面に吸着部を他方の面に拭取部を備えた本体と、前記吸着部は、合成樹脂に多数の気孔を備えて真空吸着力を有するものであり、前記拭取部は、被掃除面の塵埃を拭き取って前記塵埃を捕捉するものであり、前記被掃除面は、窓ガラスであり、不使用時は、前記吸着部を前記窓ガラスに吸着させ、使用時は、前記吸着部を前記窓ガラスから剥がし、前記拭取部により前記窓ガラスの塵埃を拭き取るものである。
【００１２】
また、請求項９記載の掃除用具は、一方の面に吸着部を他方の面に清掃部材を備えた本体と、前記吸着部は、合成樹脂に多数の気孔を備えて真空吸着力を有するものであり、前記一方の面は、平滑面であり、前記清掃部材は、ブラシ又はスポンジであり、不使用時は、前記吸着部を前記平滑面に吸着させているものである。
【００１３】
また、請求項１０記載の掃除用具は、一方の面に吸着部を他方の面に拭取部を備えた本体と、前記吸着部は、合成樹脂に多数の気孔を備えて真空吸着力を有するものであり、前記拭取部は、被掃除面の塵埃を拭き取って前記塵埃を捕捉するものである。
【発明の効果】
【００１４】
請求項１記載の掃除用具によれば、被掃除面の塵埃を拭き取りたい場合、不使用時、掃除用具の吸着部を被掃除面に吸着させているため、前記吸着部を前記被掃除面から剥がし、前記拭取部により前記被掃除面の塵埃を迅速に拭き取ることができ、しかも、使用後、前記吸着部は、合成樹脂に多数の気孔を備えて真空吸着力を有するため、被掃除面に吸着させて、次回の使用に迅速に対応することができる使用勝手の良い掃除用具を得ることができる。
【００１５】
また、請求項２記載の鏡用掃除用具によれば、被掃除面である鏡の塵埃を拭き取りたい場合、不使用時、鏡用掃除用具の吸着部を被掃除面である鏡に吸着させているため、前記吸着部を前記被掃除面である鏡から剥がし、前記拭取部により前記被掃除面の塵埃を迅速に拭き取ることができ、しかも、使用後、前記吸着部は、合成樹脂に多数の気孔を備えて真空吸着力を有するため、被掃除面である鏡に吸着させて、次回の使用に迅速に対応することができる使用勝手の良い鏡用掃除用具を得ることができる。
【００１６】
また、請求項３記載の鏡用掃除用具によれば、前述した請求項２記載の発明の効果に加え、不使用時は、吸着部を鏡に吸着させ、前記鏡が露出するのを防止するため、鏡への塵埃の付着をも防ぐことができる。
【００１７】
また、請求項４記載の鏡用掃除用具によれば、前述した請求項３記載の発明の効果に加え、不使用時は、吸着部を自動車のサイドミラーに吸着させ、前記自動車のサイドミラーが露出するのを防止するため、サイドミラーの曇り止めや凍結防止にも効果を有する。
【００１８】
また、請求項５記載の床用掃除用具によれば、被掃除面である床の塵埃を拭き取りたい場合、床用掃除用具の吸着部を履物の底部に吸着させているため、履物の歩行に伴い、吸着部の反対側の面に位置する拭取部により床の塵埃を拭き取り、拭取部が汚れた場合、前記吸着部を前記履物の底部から剥がし、床用掃除用具を洗い、再度使用することができる使用勝手の良い床用掃除用具を得ることができる。また、美感をそこなわず気づかれずに使用できる。
【００１９】
また、請求項６記載の床用掃除用具によれば、被掃除面である床の塵埃を拭き取りたい場合、平面状の清掃部の下面に掃除用具の吸着部を吸着させているため、従来のものにくらべ着脱が簡単で、吸着部の反対側の面に位置する拭取部により床の塵埃を拭き取り、拭取部が汚れた場合、前記吸着部を前記平面状の清掃部の下面から剥がし、床用掃除用具を洗い、再度使用することができる使用勝手の良い床用掃除用具を得ることができる。
【００２０】
また、請求項７記載の電子機器用掃除用具によれば、被掃除面である電子機器の表示部の塵埃を拭き取りたい場合、不使用時、掃除用具の吸着部を電子機器の表示部に吸着させているため、前記吸着部を前記電子機器の表示部から剥がし、前記拭取部により前記電子機器の表示部の塵埃を迅速に拭き取ることができ、しかも、使用後、前記吸着部は、合成樹脂に多数の気孔を備えて真空吸着力を有するため、電子機器の表示部に吸着させて、次回の使用に迅速に対応することができる使用勝手の良い電子機器用掃除用具を得ることができる。また、表示部の保護にもなる。
【００２１】
また、請求項８記載の窓ガラス用掃除用具によれば、被掃除面である窓ガラスの塵埃を拭き取りたい場合、不使用時、掃除用具の吸着部を窓ガラスに吸着させているため、前記吸着部を前記窓ガラスから剥がし、前記拭取部により前記窓ガラスの塵埃を迅速に拭き取ることができ、しかも、使用後、前記吸着部は、合成樹脂に多数の気孔を備えて真空吸着力を有するため、窓ガラスに吸着させて、次回の使用に迅速に対応することができる使用勝手の良い窓ガラス用掃除用具を得ることができる。
【００２２】
また、請求項９記載の掃除用具によれば、掃除用具を使用たい場合、吸着部を平滑面から剥がし、清掃部材を使用し、しかも、使用後、前記吸着部は、合成樹脂に多数の気孔を備えて真空吸着力を有するため、平滑面に吸着させて、次回の使用に迅速に対応することができる使用勝手の良い掃除用具を得ることができる。
【００２３】
請求項１０記載の掃除用具によれば、被掃除面の塵埃を拭き取りたい場合、不使用時、例えば、掃除用具の吸着部を平滑面に吸着させることができるため、前記吸着部を前記平滑面から剥がし、前記拭取部により前記被掃除面の塵埃を迅速に拭き取ることができ、しかも、使用後、前記吸着部は、合成樹脂に多数の気孔を備えて真空吸着力を有するため、平滑面に吸着させて、次回の使用に迅速に対応することができる使用勝手の良い掃除用具を得ることができる。
【発明を実施するための最良の形態】
【００２４】
本発明の一実施例の掃除用具、鏡用掃除用具、床用掃除用具、電子機器用掃除用具及び窓ガラス用掃除用具を図面を参照して説明する。
図１乃至図４において、Ａは掃除用具で、掃除用具Ａは、より具体的には、化粧用鏡、洗面用鏡、浴場用鏡等の掃除用具で、概略的に、扁平状の本体１の一方の面に吸着部１１を扁平状の本体１の他方の面に拭取部１２を備えている。
【００２５】
本体１は洗濯可能な素材で形成され、且つ折曲自在な柔軟性を有し、本体１の一部を構成する吸着部１１は、合成樹脂に多数の気孔を備えて真空吸着力を有するもので、吸着部１１の素材としては、例えば、特許２８４１０１８号の段落番号[００１１][００１１][表１]記載の滑り止め層と同様の素材である。
【００２６】
また、本体１の一部を構成する拭取部１２は、被掃除面１０（例えば、化粧用鏡、洗面用鏡、浴場用鏡等）の塵埃を拭き取って塵埃を捕捉するもので、拭取部１２の素材としては、例えば、不織布、マイクロファイバー、起毛繊維、ウレタンフォーム、綿、キュプラ、セルローズ、アクリル、レーヨン、塩ビ等である（以下に記述する本体１の構成も同様）。なお、拭取部１２に、図示しないが、キャラクター、絵柄等を付すようにしても良い（以下の図３乃至図１５の実施例においても、図１及び図２の実施例と同様に、拭取部１２に、図示しないが、キャラクター、絵柄等を付すようにしても良い）。
【００２７】
掃除用具Ａの不使用時は、図１及び図２に示すように、吸着部１１を被掃除面１０の平滑面に吸着させておき、掃除用具Ａの使用時は、図３及び図４に示すように、吸着部１１を被掃除面１０から剥がし、拭取部１２により被掃除面１０の塵埃を拭き取ることができる。
【００２８】
従って、上述した掃除用具（例えば、鏡用掃除用具）Ａによれば、不使用時、掃除用具（例えば、鏡用掃除用具）Ａの吸着部１１を被掃除面１０（例えば、化粧用鏡、洗面用鏡、浴場用鏡等の鏡）に吸着させているため、被掃除面１０（例えば、鏡）の塵埃を拭き取りたい場合、例えば、汚れが気になった時、吸着部１１を被掃除面１０（例えば、化粧用鏡、洗面用鏡、浴場用鏡等の鏡）から剥がし、拭取部１２により被掃除面１０（例えば、化粧用鏡、洗面用鏡、浴場用鏡等の鏡）の塵埃を迅速に拭き取ることができ、しかも、使用後、吸着部１１は、合成樹脂に多数の気孔を備えて真空吸着力を有するため、被掃除面１０（例えば、化粧用鏡、洗面用鏡、浴場用鏡等の鏡）に吸着させて、次回の使用に迅速に対応することができる使用勝手の良い掃除用具（例えば、鏡用掃除用具）Ａを得ることができる。
なお、掃除用具（例えば、鏡用掃除用具）Ａの拭取部１２に、図示しないが、キャラクター、絵柄等をつければ、貼って楽しむこともできる。
【００２９】
上述した掃除用具（例えば、鏡用掃除用具）Ａの本体１を吸着部１１と拭取部１２の二層に形成したが、吸着部１１と拭取部１２の間に部材２０を介在させても良い（図５参照）。
【００３０】
上述した実施例においては、吸着部１１を被掃除面１０（例えば、鏡）の一部を覆うようにしたが、本願発明にあっては、これに限らず、被掃除面１０（例えば、鏡）が比較的小さい場合、吸着部１１を鏡１０の全体に亘って覆う大きさとしても良い。
例えば、図６記載のコンパクト（おしろい・パフなどを入れる鏡つきの小形の携帯用化粧用具）、図７記載の手鏡、図８記載の自動車のサイドミラーにも適用することができる。
なお、鏡用掃除用具Ａの不使用時は、鏡用掃除用具Ａの吸着部１１を鏡１０に吸着させ、鏡１０が露出するのを防止することができる。その結果、鏡１０への塵埃の付着をも防ぐことができる。
また、鏡１０の塵埃を拭き取りたい場合、吸着部１１を鏡１０から剥がし、拭取部１２により鏡１０の塵埃を迅速に拭き取ることができる。
なお、特に、図８記載の自動車のサイドミラーにあっては、サイドミラーの曇り止めにも効果を発揮する。
【００３１】
次に挙げる実施例（図９参照）は、掃除用具Ａの吸着部１１を履物３０の底部に吸着させたものである。
図９記載の床用掃除用具Ａは、上述と同様に、一方の面に吸着部１１を他方の面に拭取部１２を備えた本体１とを有し、吸着部１１は、合成樹脂に多数の気孔を備えて真空吸着力を有するもので、拭取部１２は、床である被掃除面１０の塵埃を拭き取って前記塵埃を捕捉するものである。
使用時は、吸着部１１を履物３０の底部の平滑面に吸着させ、履物３０の歩行に伴い  、拭取部１２により床１０の塵埃を拭き取り、拭取部１２の塵埃の量が多くなると、吸着部１１を履物３０の底部から剥がし、床用掃除用具Ａを洗濯して再度使用するようにしている。
その結果、被掃除面である床１０の塵埃を拭き取りたい場合、床用掃除用具Ａの吸着部１１を履物３０の底部に吸着させているため、履物３０の歩行に伴い、吸着部１１の反対側の面に位置する拭取部１２により床１０の塵埃を拭き取り、拭取部１２が汚れた場合、吸着部１１を履物３０の底部から剥がし、床用掃除用具Ａを洗い、再度使用することができる使用勝手の良い床用掃除用具Ａを得ることができる。
【００３２】
次に挙げる実施例（図１０参照）は、掃除用具Ａの吸着部１１を棒状の把手４１を有する平面状の清掃部４０に吸着させたものである。
図１０記載の床用掃除用具Ａは、上述と同様に、平滑面に形成された一方の面に吸着部１１を他方の面に拭取部１２を備えた本体１とを有し、吸着部１１は、合成樹脂に多数の気孔を備えて真空吸着力を有するもので、拭取部１２は、床である被掃除面１０の塵埃を拭き取って前記塵埃を捕捉するものである。
使用時は、吸着部１１を棒状の把手４１を有する平面状の清掃部４０の下面に吸着させ、拭取部１２により床１０の塵埃を拭き取り、拭取部１２の塵埃の量が多くなると、吸着部１１を清掃部４０の下面から剥がし、床用掃除用具Ａを洗濯して再度使用するようにしている。
その結果、被掃除面である床１０の塵埃を拭き取りたい場合、平面状の清掃部４０の下面に床用掃除用具Ａの吸着部１１を吸着させているため、吸着部１１の反対側の面に位置する拭取部１２により床１０の塵埃を拭き取り、拭取部１２が汚れた場合、吸着部１１を平面状の清掃部４０の下面から剥がし、床用掃除用具Ａを洗い、再度使用することができる使用勝手の良い床用掃除用具Ａを得ることができる。
【００３３】
次に挙げる実施例は、掃除用具Ａの吸着部１１を電子機器（図１１記載の携帯電話、図１２記載の携帯ゲーム機、図示しないパーソナルコンピュータ）の表示部１０に吸着させたものである。
図１１及び図１２記載の電子機器用掃除用具Ａは、上述と同様に、一方の面に吸着部１１を他方の面に拭取部１２を備えた本体１とを有し、吸着部１１は、合成樹脂に多数の気孔を備えて真空吸着力を有するもので、拭取部１２は、窓ガラスである被掃除面１０の塵埃を拭き取って塵埃を捕捉するものである。
電子機器用掃除用具Ａの不使用時は、吸着部１１を電子機器の表示部１０に吸着させ、使用時は、吸着部１１を電子機器の表示部１０から剥がし、拭取部１２により電子機器の表示部１０の塵埃を拭き取るようにし、拭取部１２の塵埃の量が多くなると、電子機器用掃除用具Ａを洗濯して再度使用するようにしている  。
その結果、被掃除面である電子機器の表示部１０の塵埃を拭き取りたい場合、不使用時、電子機器用掃除用具Ａの吸着部１１を電子機器の表示部１０に吸着させているため、吸着部１１を電子機器の表示部１０から剥がし、拭取部１２により電子機器の表示部１０の塵埃を迅速に拭き取ることができ、しかも、使用後、吸着部１１は、合成樹脂に多数の気孔を備えて真空吸着力を有するため、電子機器の表示部１０に吸着させて、次回の使用に迅速に対応することができる使用勝手の良い電子機器用掃除用具Ａを得ることができる。なお、拭取部１２に、上述の実施例と同様、図示しないが、キャラクター、絵柄、柄付き等を付すようにしても良い。
【００３４】
次に挙げる実施例は、掃除用具Ａの吸着部１１を窓ガラス[図１３記載の建物の窓ガラス、自動車の窓ガラス（図８記載のフロントガラス、図示しないサイドガラス）]１０に吸着させたものである。
図８及び図１３記載の窓ガラス用掃除用具Ａは、上述と同様に、一方の面に吸着部１１を他方の面に拭取部１２を備えた本体１とを有し、吸着部１１は、合成樹脂に多数の気孔を備えて真空吸着力を有するもので、拭取部１２は、窓ガラスである被掃除面１０の塵埃を拭き取って塵埃を捕捉するものである。
窓ガラス用掃除用具Ａの不使用時は、吸着部１１を窓ガラス１０に吸着させ、使用時は、吸着部１１を窓ガラス１０から剥がし、拭取部１２により窓ガラス１０の塵埃を拭き取るようにし、拭取部１２の塵埃の量が多くなると、窓ガラス用掃除用具Ａを洗濯して再度使用するようにしている。
その結果、被掃除面である窓ガラス１０の塵埃を拭き取りたい場合、不使用時、窓ガラス用掃除用具Ａの吸着部１１を窓ガラス１０に吸着させているため、吸着部１１を窓ガラス１０から剥がし、拭取部１２により窓ガラス１０の塵埃を迅速に拭き取ることができ、しかも、使用後、吸着部１１は、合成樹脂に多数の気孔を備えて真空吸着力を有するため、窓ガラス１０に吸着させて、次回の使用に迅速に対応することができる使用勝手の良い窓ガラス用掃除用具Ａを得ることができる。なお、拭取部１２に、上述の実施例と同様、図示しないが、キャラクター、絵柄等を付すようにしても良い。
【００３５】
次に挙げる実施例は、掃除用具Ａの吸着部１１を平滑面（例えば、図１５記載のシンクの壁面）１０に吸着させたものである。
図１４及び図１５記載の掃除用具Ａは、上述と同様に、一方の面に吸着部１１を他方の面に清掃部材１２’を備えた本体１とを有し、吸着部１１は、合成樹脂に多数の気孔を備えて真空吸着力を有するもので、清掃部材１２’は、例えば、ブラシあるいはスポンジである。
掃除用具Ａの不使用時は、吸着部１１を平滑面（例えば、図１５記載のシンクの壁面）１０に吸着させているため、収納具が不要となる。
使用時は、吸着部１１を平滑面（例えば、図１５記載のシンクの壁面）１０から剥がし、清掃部材１２’を使用し、しかも、使用後、吸着部１１は、合成樹脂に多数の気孔を備えて真空吸着力を有するため、平滑面１０に吸着させて、次回の使用に迅速に対応することができる使用勝手の良い掃除用具Ａを得ることができる。
【００３６】
なお、上述した実施例においては、鏡用掃除用具、床用掃除用具、電子機器用掃除用具及び窓ガラス用掃除用具と用途を特定しているが、本願発明にあっては、用途を特定しない「汚れをふき取るための雑巾」等の掃除用具にも適用でき、その特徴とするところは、合成樹脂に多数の気孔を備えて真空吸着力を有する吸着部１１を有するため、平滑面があれば、壁、家具等に付着させて、収納具を必要としない使用勝手の良い掃除用具Ａを得ることができるものである。
【図面の簡単な説明】
【００３７】
【図１】図１は、本発明の一実施例の掃除用具の概略的正面図である。
【図２】図２は、図１の２−２線の概略的断面図である。
【図３】図３は、図１の掃除用具の吸着部を被掃除面から剥がした状態の概略的斜視図である。
【図４】図４は、図１の掃除用具の使用状態を示す概略的正面図である。
【図５】図５は、図１の掃除用具の本体と異なる他の実施例の掃除用具の概略的断面図である。
【図６】図６は、図１の掃除用具をコンパクトに適用した場合の概略的斜視図である。
【図７】図７は、図１の掃除用具を手鏡に適用した場合の概略的斜視図である。
【図８】図８は、図１の掃除用具をサイドミラー又はフロントガラスに適用した場合の運転席から見た概略的図である。
【図９】図９は、図１の掃除用具を履物に適用した場合の概略的斜視図である。
【図１０】図１０は、図１の掃除用具を床用清掃用具に適用した場合の概略的斜視図である。
【図１１】図１１は、図１の掃除用具を携帯電話に適用した場合の概略的斜視図である。
【図１２】図１２は、図１の掃除用具をゲーム機に適用した場合の概略的斜視図である。
【図１３】図１３は、図１の掃除用具を窓ガラスに適用した場合の概略的斜視図である。
【図１４】図１４は、図１の掃除用具を台所用の掃除用具に適用した場合の概略的斜視図である。
【図１５】図１５は、図１４の掃除用具をシンクの壁面に吸着させた場合の概略的斜視図である。
【符号の説明】
【００３８】
Ａ    …………掃除用具
１    …………本体
１０  …………被掃除面
１１  …………吸着部
１２  …………拭取部
【図１】
2008167966.tif 000003
【図２】
2008167966.tif 000004
【図３】
2008167966.tif 000005
【図４】
2008167966.tif 000006
【図５】
2008167966.tif 000007
【図６】
2008167966.tif 000008
【図７】
2008167966.tif 000009
【図８】
2008167966.tif 000010
【図９】
2008167966.tif 000011
【図１０】
2008167966.tif 000012
【図１１】
2008167966.tif 000013
【図１２】
2008167966.tif 000014
【図１３】
2008167966.tif 000015
【図１４】
2008167966.tif 000016
【図１５】
2008167966.tif 000017